(57)【特許請求の範囲】
【請求項１】
水栓を備えたシンクの上面フランジに載置するための水切りプレートであって、水栓から水切りプレート上に吐水された水が、短手方向には直線的に流水出来ないよう、互い違いに水抜き孔が配列されたプレート部を備えており、水抜き孔が複数長手方向に配列されて成る縦列について、長手方向の水抜き孔の開口ピッチは、水栓の吐水径よりも小さく設定されていることを特徴とする水切りプレート。
【請求項２】
請求項１に記載の水切りプレートであって、水抜き孔が複数長手方向に配列されて成る縦列について、短手方向に互いに隣接する縦列の一定の間隔をＤＳとし、水抜き孔が複数短手方向に配列されて成る横列について、長手方向に互いに隣接する横列の一定の間隔をＤＬとすると、ＤＬ＜ＤＳ に設定されていることを特徴とする水切りプレート。
【請求項３】
請求項１または２に記載の水切りプレートであって、水抜き孔が複数長手方向に配列されて成る縦列について、長手方向の水抜き孔の開口ピッチは、プレート部の中央寄りの開口ピッチよりも短手方向で外側寄りの開口ピッチの方が小さく設定されていることを特徴とする水切りプレート。
【請求項４】
請求項１から３のいずれかに記載の水切りプレートであって、水切りプレートは、略矩形の周枠部を有しており、プレート部と周枠部との間には、長手方向の前後の端部に短手方向の全域に瓦る開口部が設けられていることを特徴とする水切りプレート。
【請求項５】
請求項４に記載の水切りプレートであって、プレート部は、周枠部の上面に取り付けられており、プレート部の上面が、シンクが取り付けられているキッチンの天板と略同一高さとなっていることを特徴とする水切りプレート。
【請求項６】
請求項４または５に記載の水切りプレートであって、シンクの後壁面には収納ラックが取り付けられており、後側の端部開口部から、水切りプレートを設置したままの状態でシンクの後壁面に取り付けた収納ラックを取出すことができることを特徴とする水切りプレート。
【請求項７】
請求項４から６のいずれかに記載の水切りプレートであって、周枠部にはシンクの上面フランジとの間でガタつきの発生を防止するための緩衝材が取り付けられていることを特徴とする水切りプレート。
【発明の詳細な説明】
【技術分野】
【０００１】
本発明は、キッチンのシンクに取り付けて使用する水切りプレートに関する。
【背景技術】
【０００２】
従来、シンクの上面フランジに載置して使用する水切りプレートは周知であるが、このような水切りプレートの水抜き孔を、千鳥配列状に開口した構成が知られている（特許文献１参照）。
【０００３】
また、台形状の水切りプレートをシンクに設置したまま、収納ラックを取出せるようにした構成が知られている（特許文献２参照）。
【先行技術文献】
【特許文献】
【０００４】
【特許文献１】特開２００６−２９６５３５号公報
【特許文献２】特開平１１−２４１３８４号公報
【発明の概要】
【発明が解決しようとする課題】
【０００５】
水切りプレートの長手方向の側縁をシンクの上面フランジに載置して使用する構成において、水栓から吐出された水が水切りプレート上に流れ落ちると、水切りプレート上でその短手方向に直線的に流れる水は天板上に流れ出し易く、清掃の手間が増え、また衛生上も好ましくない。
【０００６】
また、従来の台形状の水切りプレートでは、特許文献２の図１２、１３に示すように、シンクの上面フランジに載置する部分が比較的少なく、水切りプレートをシンクの上面フランジに載置するための安定性が必ずしもよくないという問題があった。
【０００７】
さらに、従来の水切りプレートは、シンクの上面フランジに載置した状態で、キッチンの天板より下に位置する構成が多い。このような構成では、例えば、まな板等を天板と水切りプレートに跨って置くと、傾斜してしまうという問題が生じている。
【０００８】
本発明は、上記従来の問題を解決することを目的とするものであり、特に、水切りプレートの長手方向の側縁をシンクの上面フランジに載置して使用する構成において、水栓から吐出された水が水切りプレート上でその短手方向に直線的に流水しにくい構成として、水が天板上に流れ出しにくい構成の水切りプレートを実現することを課題とする。
【課題を解決するための手段】
【０００９】
本発明は上記課題を解決するために、水栓を備えたシンクの上面フランジに載置するための水切りプレートであって、水栓から水切りプレート上に吐水された水が、短手方向には直線的に流水出来ないよう、互い違いに水抜き孔が配列されたプレート部を備えており、水抜き孔が複数長手方向に配列されて成る縦列について、長手方向の水抜き孔の開口ピッチは、水栓の吐水径よりも小さく設定されていることを特徴とする水切りプレートを提供する。
【００１０】
水切りプレートでは、水抜き孔が複数長手方向に配列されて成る縦列について、短手方向に互いに隣接する縦列の一定の間隔をＤＳとし、水抜き孔が複数短手方向に配列されて成る横列について、長手方向に互いに隣接する横列の一定の間隔をＤＬとすると、ＤＬ＜ＤＳ に設定されている構成としてもよい。
【００１２】
水切りプレートでは、水抜き孔が複数長手方向に配列されて成る縦列について、長手方向の水抜き孔の開口ピッチは、プレート部の中央寄りの開口ピッチよりも短手方向で外側寄りの開口ピッチの方が小さく設定されている構成としてもよい。
【００１３】
水切りプレートは、略矩形の周枠部を有しており、プレート部と周枠部との間には、長手方向の前後の端部に短手方向の全域に瓦る開口部が設けられている構成としてもよい。
【００１４】
プレート部は、周枠部の上面に取り付けられており、プレート部の上面が、シンクが取り付けられているキッチンの天板と略同一高さとなっている構成としてもよい。
【００１５】
シンクの後壁面には収納ラックが取り付けられており、後側の端部開口部から、水切りプレートを設置したままの状態でシンクの後壁面に取り付けた収納ラックを取出すことができる構成としてもよい。
【００１６】
周枠部にはシンクの上面フランジとの間でガタつきの発生を防止するための緩衝材が取り付けられている構成としてもよい。
【発明の効果】
【００１７】
本発明によれば、水栓から吐出された水が水切りプレート上でその短手方向に直線的に流水しにくい構成としたので、水が天板上に流れ出しにくくなり、天板上に水が流れ出ることによる清掃の手間や衛生上の問題を改善することが可能となる。
【図面の簡単な説明】
【００１８】
【図１】本発明に係る水切りプレートの実施例を説明する図であって、（ａ）は水切りプレートを設置するシンクを示す斜視図であり、（ｂ）は水切りプレートを設置するシンクを示す斜視図である。
【図２】実施例の水切りプレートを示す図であり、（ａ）は平面図であり、（ｂ）は（ａ）のＢ−Ｂ断面図であり、（ｃ）はシンクに設置した状態における断面図である。（ｄ）は実施例の変形例１を説明する図であり、（ｅ）は（ｄ）のＥ−Ｅ断面図である。
【図３】（ａ）は実施例の水切りプレートの水抜き孔の配列を説明する平面図であり、（ｂ）は水栓の吐水された水の流れを説明する平面図である。
【図４】（ａ）は実施例の水切りプレートの水抜き孔を説明する平面図であり、（ｂ）は実施例の水切りプレートの変形例２を説明する平面図である。
【図５】（ａ）、（ｂ）は実施例の水切りプレートを設置したシンクに収納ラックを取り付けた状態を示す平面図、一部断面図であり、（ｃ）は収納ラックを示す斜視図である。
【図６】（ａ）は従来例の水切りプレートの水抜き孔を説明する平面図であり、（ｂ）は従来例の水切りプレートの作用を説明する平面図である。
【発明を実施するための形態】
【００１９】
本発明に係る水切りプレートを実施するための形態を実施例に基づき図面を参照して、以下説明する。
【実施例】
【００２０】
図１（ａ）は、本発明の水切りプレートを取り付けるシンクを示す図であり、図１（ｂ）は、このシンクに本発明の水切りプレート２を設置した状態を示す図である。このシンク１は、底面を囲むように、前壁３、後壁４及び左右の側壁５を備えており、上方から見て平面視で略矩形である。
【００２１】
シンク１の前壁３、後壁４及び左右の側壁５の上縁に沿って、水平な上面フランジ６が形成されており、上面フランジ６は、その外周縁に沿って形成された立ち上がり周面７を介して天板８の上面に連成している。
【００２２】
シンク１の後壁４は、平面視で、横幅方向の中央部分が前方へ凸状に形成された前面部９として、その左右両側は後方へ凹んだ凹み部１０として構成されている。左右の凹み部１０は、それぞれ平面視で側壁５、後面壁１１及び内側壁１２で囲まれている。凹み部１０の後面壁１１には、平面視でコの字型をした固定部材１５が取り付けられている。
【００２３】
本発明の水切りプレート２は、図１（ｂ）、図２（ａ）〜（ｃ）に示すように、シンク１の上面フランジ６に載置するための略矩形の周枠部２１と、複数の水抜き孔２２が開口されたプレート部２３とを備えている。プレート部２３は、図２（ｂ）に示すように、周枠部２１の上面に載置されて取り付けられている。プレート部２３は、例えば、パンチングメタルで構成されている。
【００２４】
この水切りプレート２においては、周枠部２１で囲まれた全域上にプレート部２３が取り付けられているのではなく、プレート部２３と周枠部２１との間には、長手方向の前後の端部に、それぞれ短手方向の全域に瓦る開口部２６、２７が設けられている。
【００２５】
水切りプレート２は、シンク１へ設置する際には、その周枠部２１をシンク１の上面フランジ６に載置する。水切りプレート２を設置すると、プレート部２３の上面は、図２（ｃ）に示すように、キッチンの天板８と段差なく同一高さになるように、周枠部２１の高さが設定されている。
【００２６】
なお、図２（ｄ）、（ｅ）は、本発明の実施例の変形例１を示す図であるが、この変形例１の水切りプレート３０は、その周枠部２１の下面の一部（下面の全面でもよい）にゴム材や樹脂等で製造された緩衝材３１が貼り付けられている。このような構成の水切りプレート３０を上面フランジ６に載置すると、水切りプレート３０のガタつきを防止することができる。
【００２７】
複数の水抜き孔２２は、水切りプレート２のプレート部２３の略全域にわたって形成されている。図３は、プレート部２３に開口された複数の水抜き孔２２の配列及びその作用を説明する図である。
【００２８】
図６は、比較例（従来例）の水切りプレート３５のプレート部３６に開口された複数の水抜き孔２２の配列及びその作用を説明する図である。本発明の水切りプレート２の水抜き孔２２の配列について、以下、比較例の水切りプレート３５と較べて説明する。
【００２９】
比較例（従来例）の水切りプレート３５においては、図６（ａ）に示すように、そのプレート部３６に、複数の水抜き孔２２が平面視でマトリクス状に配列されて開口されている。
【００３０】
ここで、複数の水抜き孔２２がマトリクス状に配列されているとは、水切りプレート部３６の表面に、仮に長手方向に伸びる複数の縦線３８と短手方向に伸びる複数の横線３９を引いたとすると、複数の水抜き孔２２は、縦線３８と横線３９との交点に配列されて開口されているということである。
【００３１】
この構成を別の表現で記載すると、比較例の水切りプレート３５においては、複数の水抜き孔２２が長手方向に一定の開口ピッチＰＬ（複数の水抜き孔２２の長手方向の相互の間隔ＰＬ）で１列に開口されて成る水抜き孔の縦列４１が、短手方向に一定の間隔ＤＳで、複数列配列されている。
【００３２】
そして、隣接する水抜き孔の縦列４１は、互いに長手方向にずれることなく、同じ位置にあり、全体として図６（ａ）に示すように、マトリクス状に配列された構成となっている。
【００３３】
これを横方向でみると、複数の水抜き孔２２が短手方向に一定の開口ピッチＰＳ（複数の水抜き孔２２の短手方向の相互の間隔Ｐｓ）で１列に開口されて成る水抜き孔２２の横列４２が、長手方向に一定の間隔ＤＬで複数列配列されている。そして、隣接する横列４２は互いに短手方向にずれることなく、同じ位置にあり、全体として図６（ａ）に示すように、格子状に配列された構成となっている。
【００３４】
このような比較例の水切りプレート３５に対して、本発明の水切りプレート２のプレート部２３に形成された複数の水抜き孔２２は、次のように配列されている。図３（ａ）に示すように、複数の水抜き孔２２が長手方向に一定の開口ピッチＰＬで１列に開口されて成る水抜き孔２２の縦列４５が、短手方向に一定の間隔ＤＳで、複数列配列されている。そして、隣接する縦列４５は長手方向に、互い違いにずれて配列された構成となっている。
【００３５】
これを横方向でみると、複数の水抜き孔２２が短手方向に一定の開口ピッチＰＳで（一定の間隔ＰＳをおいて）をおいて１列に開口されて成る水抜き孔２２の横列４６が、長手方向に一定の間隔ＤＬで複数列形成されている。そして、隣接する横列４６は短手方向に互い違いにずれ、全体として図３（ａ）に示すような構成となっている。
【００３６】
上記のとおり、隣接する縦列４５は長手方向に互い違いにずれているが、このずれの長さは、上記複数の横列４６の長手方向の互いの間隔ＤＬに相当する。また、横方向でみると、隣接する横列４６は短手方向に互い違いにずれているが、このずれの長さは、上記複数の縦列４５の短手方向の互いの間隔Ｄｓに相当する。
【００３７】
ところで、本発明の水切りプレート２では、そのプレート部２３に互い違いにずれて配列された複数の水抜き孔２２の配列については、図３（ａ）に示すように、横列４６の長手方向の互いの間隔ＤＬは、縦列４５の短手方向の互いの間隔Ｄｓより小さく設定された構成としてもよい。
【００３８】
このような構成とすると、水切りプレート２のプレート部２３上において、天板８の縁部４９に向かって短手方向に流れる水は、その流路には、より多くの複数の水抜き孔２２が開口されていることとなるので、それらの水抜き孔２２から排水される可能性が大きくなる。ここで、「天板８の縁部４９」とは、天板８の縁部であって、シンク１の側壁５側の側縁（より正確には、シンク１の側壁５側の立ち上がり周面７）と接する縁部を言う。
【００３９】
また、長手方向の開口ピッチＰＬは、図４（ａ）に示すように、水栓の吐水径Ｗｄよりも小さく設定される構成としてもよい。このような構成とすると、水栓から吐水される水は、吐水位置において、また吐水位置から天板８の縁部４９に向かって短手方向に向かう流路において、２つの水抜き孔２２にわたる可能性があるので、水抜き孔２２からシンク１へ排出する水量が多くなる。       
【００４０】
図４（ｂ）は、実施例の水切りプレートの変形例２を示す。この変形例２の水切りプレート５０は、長手方向の開口ピッチＰＬは、プレート部２３の中央寄りの開口ピッチＰＬ１よりも短手方向において外側寄り（天板８の縁部４９寄り）に向かうに従って、ＰＬ２、ＰＬ３、ＰＬ４と漸次小さくなるように設定されている。
【００４１】
このような構成とすると、次の作用の項で詳記するが、水がプレート部２３上で天板８の縁部４９に向けて短手方向に流れる水が、天板８の縁部４９にたどりつくまでに、その多くを効果的に排水することが可能となる。
【００４２】
（作用）
以上の構成から成る実施例の水切りプレート２の作用を説明する。水切りプレート２は、図１（ｂ）に示すように、その長手方向をシンク１の前後に向けて設置される。図１（ｂ）に示す例では、水切りプレート２は、シンク１の横幅方向（図中左右方向）において、左側の凹み部１０の位置になるように、周枠部２１が上面フランジ６に載置され設置されているが、左側の凹み部１０の位置になるように、設置されてもよい。
【００４３】
本発明の水切りプレート２の周枠部２１は、略矩形に形成されているので、周枠部２１が上面フランジ６に載置される面積が増え、しかも周枠部２１の前後においてシンク１の前後の立ち上がり周面７に当接するので、水平方向にスライドしにくく、ずれにく、落下等しにくくなる。
【００４４】
そのため、水切りプレート２を係止するためのスタッドピンのような余計な部品等をシンク１の周囲に設けなくても、水切りプレート２を、より安定してシンク１の上面フランジ６に載置してシンク１に設置することが可能となる。
【００４５】
なお、図２（ｄ）、（ｅ）に示すような変形例１では、周枠部２１の下面の一部にゴム材や樹脂等で製造された緩衝材３１が貼り付けられているので、水切りプレート３０をフランジに載置した際に、ガタつきを防止することができる。
【００４６】
水切りプレート２の前後においては、周枠部２１が上面フランジ６に載置されているが、前後の開口部２６、２７において開口している。水切りプレート２をシンク１から外す時には、開口部２６、２７に手を掛けて取り出すことが可能である。
【００４７】
また、後記するが、水切りプレート２を設置した状態で、後部の開口部２７を通して、収納ラック６０を、凹み部１０の固定部材１５へ取り付け、取り外して使用することも可能である。
【００４８】
次に、本発明の水切りプレート２のプレート部２３に形成された複数の水抜き孔２２の作用を、比較例と比較して説明する。水栓５２の吐出口５３が水切りプレート２の上方に位置している場合は、水栓５２から吐出される水は、水切りプレート２上に流れ落ちる。この水栓５２から吐出される水は、図３（ｂ）に示すように、その流れ落ちる水切りプレート２の上の位置（「吐水位置」という）５４から周囲に流れる。
【００４９】
比較例の水切りプレート３５では、水栓５２から吐出された水が、図６（ｂ）に示すように、プレート部３６上において、２つの水抜き孔２２の縦列４１、４１と２つの水抜き孔２２の横列４２、４２との間の位置（この位置が吐水位置５４となる。）に吐水したとする。すると、プレート部３６上において、水は、その吐水位置５４から次のように流れる。
【００５０】
図６（ｂ）に示すように、周囲に流れる水のうち、長手方向に向かう水は、水抜き孔２２の縦列４１、４１の間を通過して水切りプレート２上を流れる（矢印５５参照）。吐水位置５４からシンク１の前壁３及び後面壁１１までの距離が長いので、長手方向においてシンク１の前後に向かう水は、水の勢いが低下し易い。
【００５１】
また、周囲に流れる水のうち、長手方向及び短手方向の間を、天板８の縁部４９に向かって平面視で斜め方向に流れる水は、その多くは水抜き孔２２からシンク１内に流れ落ちる。従って、天板８の縁部４９に向かって斜め方向に流れる水は、天板８の縁部４９に到達されるまでに水量が少なくなり、仮に天板８の縁部４９に到達しても水の流れる勢いが低下しており、しかも天板８の縁部４９に対して傾斜角をもって流れるために、天板８上に溢れ出にくくなる。
【００５２】
しかしながら、周囲に流れる水のうち、短手方向に向かう水は、水抜き孔２２の横列４２、４２の間を通過して水切りプレート２上を流れる（矢印５６参照）。短手方向においては、吐水位置５４から天板８の縁部４９までの距離が短いので、短手方向で天板８の縁部４９に向かう水は水の勢いが比較的低下しないうちに、天板８の縁部４９に達するので、天板８上に水が溢れ易い。図６（ｂ）に天板上に溢れ出た水５７を示す。以上が比較例の水切りプレート３５の作用である。
【００５３】
このような比較例に対して、本発明の複数の水抜き孔２２は、水切りプレート２のプレート部２３に、図３（ａ）に示すように、ずれて配列されているので、図３（ｂ）に示すように、 吐水位置５４から周囲に流れる水のうち、天板８の縁部４９に向かって短手方向に向かう水は、その流路に水抜き孔２２が比較的多く形成されているので、水抜き孔２２からシンク１内に流れ落ちて排水されやすい。
【００５４】
吐水位置５４から、天板８の縁部４９に向かって平面視で斜め方向に流れる水は、その一部は水抜き孔２２からシンク１内に排水され、天板８の縁部４９に到達されるまでに水量が少なくなる。さらに、天板８の縁部４９に到達しても、その流路において水の流れる勢いが低下しており、しかも天板８の縁部４９に対して傾斜角をもって流れてくる等の理由で、天板８上に溢れ出にくくなる。
【００５５】
以上からして、天板８の縁部４９に向かって短手方向に向かう水は、吐水位置５４から天板８の縁部４９までの距離が短いにもかかわらず、天板８の縁部４９に到達されるまでに水量が少なくなり、仮に天板８の縁部４９に到達しても水の流れる勢いが低下しているために、天板８上に溢れ出にくくなる。従って、天板８の縁部４９に周囲の天板８が、水栓５２から吐水される水で汚れにくくなる。
【００５６】
また、長手方向の開口ピッチＰＬが、図４（ａ）に示すように、水栓５２の吐水径ＷＤよりも小さく設定されていると、水栓５２から吐水される水は、吐水位置５４において、或いは吐水位置５４から短手方向で天板８の縁部４９に向かう流路において、長手方向の２つの水抜き孔２２にわたるので、水抜き孔２２からシンク１に排出され易くなる。
【００５７】
ところで、図４（ｂ）に示すように、変形例２の水抜き孔２２は、長手方向の開口ピッチを、プレート部２３の短手方向で中央寄りからの外側寄りに向けて、ＰＬ１〜ＰＬ４へ漸次、小さく、即ち、水抜き孔２２の密度が漸次、大きくなる構成としている。このような構成とすると、次のような（１）、（２）の作用が生じ、それらが相乗的に作用して、天板８の上面へ水が溢れ出ることを、より一層効果的に抑制することが可能となる
【００５８】
（１）天板８の縁部４９に向かって短手方向へ流れる水は、天板８の縁部４９に近づくに従って、水抜き孔２２の密度が増えるので、縁部４９に直進する水が減って、残りの水は縁部４９に対して傾斜角をもって進行し、より減速される。
【００５９】
（２）水が水切りプレート２の中央寄りから天板８の縁部４９に向かって流れる場合、中央寄りでは水の勢いは大きく流速は速いので水抜き孔２２から比較的排水されにくいが、縁部４９に近づくと水の勢いが低下して流速が遅くなり、滞水しがちとなる。そのような流速が衰え、滞水しがちとなった水を、水抜き孔２２の密度を増やすことで、より多く、効果的にシンク１内に排水することが可能となる。
【００６０】
次に、図５において、シンク１に水切りプレート２を設置したままの状態で、収納ラック６０を使用する態様を説明する。収納ラック６０は、図５（ｃ）に示すように線材から形成されており、その後部であって横幅方向中央に、下方に向いたＵ字型の引っ掛け部６１が形成されている。収納ラック６０は、シンク１の凹み部１０の後面壁１１に取り付け、取り外して使用することができる。
【００６１】
シンク１に水切りプレート２を設置したままの状態で、収納ラック６０をシンク１の凹み部１０の後面壁に取り付けるには、収納ラック６０を、水切りプレート２の後部の開口部２７からシンク１内に挿入し、Ｕ字型の引っ掛け部をコの字型の固定部材１５（図１参照）に引っ掛けて、図５（ａ）、（ｂ）に示すように凹み部１０の後面壁１１に固定する。逆に、シンク１に水切りプレート２を設置したままの状態で、収納ラック６０をシンク１から取り外すこともできる。
【００６２】
以上、本発明に係る水切りプレートを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６３】
本発明に係る水切りプレートは上記のような構成であるから、キッチンのシンクに取り付けて使用する水切りプレートだけでなく、工業製品、農産物、海産物等の洗浄用に使用される産業用のシンクに設置する水切りプレートとしても利用可能である。
【符号の説明】
【００６４】
１  シンク                     
２  水切りプレート             
３  シンクの前壁               
４  シンクの後壁               
５  シンクの左右の側壁         
６  シンクの上面フランジ       
７  シンクの立ち上がり周面     
８  天板                       
９  シンクの前面部             
１０  シンクの凹み部                                 
１１  凹み部の後面壁                                 
１２  凹み部の内側壁                                 
１５  シンクの固定部材                               
２１  水切りプレートの周枠部                         
２２  水抜き孔                                       
２３  プレート部                                     
２６、２７  水切りプレートの開口部                   
３０  変形例１の水切りプレート                       
３１  緩衝材                                         
３５  比較例の水切りプレート                         
３６  比較例のプレート部                             
３８  仮想の縦線                                     
３９  仮想の横線                                     
４１  比較例の水抜き孔の縦列                         
４２  比較例の水抜き孔の横列                         
４５  実施例の水抜き孔の縦列                     
４６  実施例の水抜き孔の横列                     
４９  天板の縁部                                     
５０  変形例２の水切りプレート                       
５２  水栓                                           
５３  水栓の吐出口                                   
５４  吐水位置                                       
５５  比較例における長手方向への水の流れ             
５６  比較例における短手方向への水の流れ             
５７  天板上に溢れ出た水                             
６０  収納ラック                                     
６１  収納ラックの引っ掛け部 
【図１】
0005779008.tif 000002
【図２】
0005779008.tif 000003
【図３】
0005779008.tif 000004
【図４】
0005779008.tif 000005
【図５】
0005779008.tif 000006
【図６】
0005779008.tif 000007